【手続補正書】
【提出日】平成22年3月31日(2010.3.31)
【手続補正１】
【補正対象書類名】特許請求の範囲
【補正対象項目名】全文
【補正方法】変更
【補正の内容】
【特許請求の範囲】
【請求項１】
適用可能な利用範囲として第１範囲が指定された再利用オブジェクトが定義される印刷データの入力を行う入力手段と、
当該印刷データの印刷設定を適用することにより当該印刷データの論理ページの構成が変化する場合に、前記再利用オブジェクトの利用範囲を前記第１範囲から、前記第１範囲よりも狭い第２範囲に変更する制御を行う制御手段とを有することを特徴とする印刷データ処理装置。
【請求項２】
前記制御手段は、前記論理ページの構成が変化することにより、前記再利用オブジェクトの参照回数が減少する場合に、前記再利用オブジェクトの利用範囲を前記第１範囲から、前記第２範囲に変更する制御を行うことを特徴とする請求項１に記載の印刷データ処理装置。
【請求項３】
前記第１範囲は、ジョブ、ドキュメント、ドキュメント設定のうちの少なくともいずれか１つであり、前記第２範囲は、ページであることを特徴とする請求項１又は２に記載の印刷データ処理装置。
【請求項４】
前記制御手段は、当該印刷データの印刷設定を適用することにより当該印刷データの論理ページの構成が変化しない場合に、前記再利用オブジェクトの利用範囲を前記第１範囲から、前記第１範囲よりも広い第３範囲に変更する制御を行うことを特徴とする請求項１又は２に記載の印刷データ処理装置。
【請求項５】
前記制御手段は、当該印刷データの印刷設定を適用することにより当該印刷データの論理ページの構成が変化せず、かつ前記再利用オブジェクトの参照回数が閾値以上である場合に、当該再利用オブジェクトの利用範囲を前記第１範囲から、前記第３範囲に変更する制御を行うことを特徴とする請求項４に記載の印刷データ処理装置。
【請求項６】
前記第３範囲はジョブであり、前記第１範囲はページであることを特徴とする請求項４又は５に記載の印刷データ処理装置。
【請求項７】
前記制御手段による前記変更の制御は、ＰＰＭＬ形式のドキュメントの投入を受け付けるホットフォルダにおいて、当該ＰＰＭＬ形式のドキュメントが投入された際に設定された前記再利用オブジェクトの前記利用範囲を再定義するか否かの情報に基づいて行われることを特徴とする請求項１乃至６のいずれか１項に記載の印刷データ処理装置。
【請求項８】
前記制御手段は、前記印刷データに含まれる前記再利用オブジェクトの前記利用範囲がジョブとして設定されており、かつ、製本印刷が設定されている場合、当該製本印刷用に決定されたレイアウトに基づいて、前記利用範囲をジョブからページへと変更するか否かを決定することを特徴とする請求項１乃至７のいずれか１項に記載の印刷データ処理装置。
【請求項９】
前記制御手段は、
ジョブを利用範囲とする前記再利用オブジェクトと、ページ開始コマンドとページ終了コマンドとの間に含まれる当該再利用オブジェクトを参照する参照コマンドとが、ジョブ開始コマンドとジョブ終了コマンドとの間に含まれた印刷データを、
ページを利用範囲とする前記再利用オブジェクトと、ページ開始コマンドとページ終了コマンドとの間に含まれる当該再利用オブジェクトを参照する参照コマンドとが、ジョブ開始コマンドとジョブ終了コマンドとの間に含まれた印刷データに変更することを特徴とする請求項１乃至８のいずれか１項に記載の印刷データ処理装置。
【請求項１０】
適用可能な利用範囲として第1範囲が指定された再利用オブジェクトが定義される印刷データの入力を行う入力ステップと、
当該印刷データの印刷設定を適用することにより当該印刷データの論理ページの構成が変化する場合に、前記再利用オブジェクトの利用範囲を前記第１範囲から、前記第１範囲よりも狭い第２範囲に変更する制御を行う制御ステップとを有することを特徴とする印刷データ処理方法。
【請求項１１】
前記制御ステップは、前記論理ページの構成が変化することにより、前記再利用オブジェクトの参照回数が減少する場合に、前記再利用オブジェクトの利用範囲を前記第１範囲から、前記第２範囲に変更する制御を行うことを特徴とする請求項１０に記載の印刷データ処理方法。
【請求項１２】
前記第１範囲は、ジョブ、ドキュメント、ドキュメント設定のうちの少なくともいずれか１つであり、前記第２範囲は、ページであることを特徴とする請求項１０又は１１に記載の印刷データ処理方法。
【請求項１３】
前記制御ステップは、当該印刷データの印刷設定を適用することにより当該印刷データの論理ページの構成が変化しない場合に、前記再利用オブジェクトの利用範囲を前記第１範囲から、前記第１範囲よりも広い第３範囲に変更する制御を行うことを特徴とする請求項１０又は１１に記載の印刷データ処理方法。
【請求項１４】
前記制御ステップは、当該印刷データの印刷設定を適用することにより当該印刷データの論理ページの構成が変化せず、かつ前記再利用オブジェクトの参照回数が閾値以上である場合に、当該再利用オブジェクトの利用範囲を前記第１範囲から、前記第３範囲に変更する制御を行うことを特徴とする請求項１３に記載の印刷データ処理方法。
【請求項１５】
前記第３範囲はジョブであり、前記第１範囲はページであることを特徴とする請求項１３又は１４に記載の印刷データ処理方法。
【請求項１６】
前記制御ステップによる前記変更の制御は、ＰＰＭＬ形式のドキュメントの投入を受け付けるホットフォルダにおいて、当該ＰＰＭＬ形式のドキュメントが投入された際に設定された前記再利用オブジェクトの前記利用範囲を再定義するか否かの情報に基づいて行われることを特徴とする請求項１０乃至１５のいずれか１項に記載の印刷データ処理方法。
【請求項１７】
前記制御ステップは、前記印刷データに含まれる前記再利用オブジェクトの前記利用範囲がジョブとして設定されており、かつ、製本印刷が設定されている場合、当該製本印刷用に決定されたレイアウトに基づいて、前記利用範囲をジョブからページへと変更するか否かを決定することを特徴とする請求項１０乃至１６のいずれか１項に記載の印刷データ処理方法。
【請求項１８】
前記制御ステップは、
ジョブを利用範囲とする前記再利用オブジェクトと、ページ開始コマンドとページ終了コマンドとの間に含まれる当該再利用オブジェクトを参照する参照コマンドとが、ジョブ開始コマンドとジョブ終了コマンドとの間に含まれた印刷データを、
ページを利用範囲とする前記再利用オブジェクトと、ページ開始コマンドとページ終了コマンドとの間に含まれる当該再利用オブジェクトを参照する参照コマンドとが、ジョブ開始コマンドとジョブ終了コマンドとの間に含まれた印刷データに変更することを特徴とする請求項１０乃至１７のいずれか１項に記載の印刷データ処理方法。
【請求項１９】
請求項１０乃至１８のいずれか１項に記載の印刷データ処理方法クレームの各ステップをコンピュータに実行させるためのプログラム。
【手続補正２】
【補正対象書類名】明細書
【補正対象項目名】００１０
【補正方法】変更
【補正の内容】
【００１０】
本発明の印刷データ処理装置は、適用可能な利用範囲として第１範囲が指定された再利用オブジェクトが定義される印刷データの入力を行う入力手段と、当該印刷データの印刷設定を適用することにより当該印刷データの論理ページの構成が変化する場合に、前記再利用オブジェクトの利用範囲を前記第１範囲から、前記第１範囲よりも狭い第２範囲に変更する制御を行う制御手段とを有することを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】